(57)【要約】【課題】  常時全量のネガデータを蓄積して全量チェックを可能にするとともに、送信時間を短縮し、さらに提供元と配布先のネガデータの一致性を確保する。【解決手段】  所定数の最新ネガデータからなる差分一括ネガデータを配信するサーバ（２）と、サーバから差分一括ネガデータを受信し、受信した差分一括ネガデータと、過去に受信した世代の異なる各差分ネガデータとを比較し、各世代の差分ネガデータ毎に変更分ネガデータを生成すると共に、差分一括ネガデータについてチェッチ値を算出し、変更分ネガデータ、差分一括ネガデータ、チェック値を配信する機能を有するセンタ（３）と、センタから初期設定時に差分一括ネガデータを受信するとともに、以後、自己の有する世代の差分ネガデータに対応する変更分ネガデータ、前記チェック値を受信し、受信したチェック値と自身で算出したチェッチ値を比較し、両チェック値が異なる時、センタに対して差分一括ネガデータの配信を要求する端末（４）とを備えたものである。【選択図】        図１
2005234642.tif 000002
【特許請求の範囲】
【請求項１】
所定数の最新ネガデータからなる差分一括ネガデータを配信するサーバと、
前記サーバから差分一括ネガデータを受信し、受信した差分一括ネガデータと、過去に受信した世代の異なる各差分ネガデータとを比較し、各世代の差分ネガデータ毎に変更分ネガデータを生成すると共に、差分一括ネガデータについてチェック値を算出し、変更分ネガデータ、差分一括ネガデータ、チェック値を配信する機能を有するセンタと、
前記センタから初期設定時に差分一括ネガデータを受信するとともに、以後、自己の有する差分ネガデータに対応する変更分ネガデータ、前記チェック値を受信し、受信したチェック値と自身で算出したチェック値を比較し、両チェック値が異なる時、センタに対して差分一括ネガデータの配信を要求する端末とを備えたネガデータ配信システム。
【請求項２】
さらに前記サーバは当日に発生したネガデータを緊急ネガデータとしてセンタに送信し、
センタは、受信した緊急ネガデータを蓄積管理し、自己の管理する緊急ネガデータと端末側の緊急ネガデータとを比較し、緊急ネガデータの世代が異なるときは管理する緊急ネガデータを端末へ送信することを特徴とする請求項１記載のネガデータ配信システム。
【請求項３】
前記緊急ネガデータの当日より前の緊急ネガデータは変更分ネガデータに組み入れることを特徴とする請求項２記載のネガデータ配信システム。
【請求項４】
前記センタは、各端末からのアクセスに基づいてデータを送信することを特徴とする請求項１または２記載のネガデータデータ配信システム。
【発明の詳細な説明】
【技術分野】
【０００１】
本発明は非接触式ＩＣカードの不正使用を防止するためのネガデータ配信システムに関する。
【背景技術】
【０００２】
無線カードの使用に対応した駅務システムにおいて、無線カードにＩＤ番号を記録するとともに、ＩＤ番号と購入情報をホストコンピュータに送信する無線カード発行器と、無線カードのＩＤ番号と購入情報、及び遺失された無線カードに係るネガデータとを一元管理するホストコンピュータとを有し、駅務機器の使用直前または運用中にネガデータマスタファイルのデータをシステム内の全ての駅務機器と無線カード発行器に送信するようにした駅務システムが知られている（特許文献１）。
【０００３】
また、使用を禁止するＩＣカードについて、その識別符号を含むカード情報が登録されているホットリスト（ネガリスト）をセンタに記憶しておき、センタのホットリストに登録されているカード情報の一部を抽出し、抽出されたカード情報から抽出ホットリストを生成して各取引端末に送信することにより、取引端末において不正使用に対するリスト照合を行うホットリストの数を減らし、照合処理に要する時間を短縮するようにしたものも提案されている（特許文献２）。
【特許文献１】特開２０００−９０２９８号公報
【特許文献２】特許第３１７２５１４号
【発明の開示】
【発明が解決しようとする課題】
【０００４】
ところで、特許文献１に示されているようなネガデータの配信は一括全量データの配信のため、配信データ量が大量になって送信経費がかかってしまうことになる。一方、特許文献２のように抽出ホットリストを生成するシステムでは、全量チェックを行うことができない。
【０００５】
また、クレジットでは、通常、１回の取引ごとにセンターにおいてネガデータチェックを行っているが、このチェック方式では端末操作時間が通信時間を含むため待ち時間が長くなってしまうという問題がある。さらに、ネガデータ提供元で保持している最新ネガデータと、配布先で保有している最新ネガデータとの整合性チェックが行われていないため、提供元と配布先のネガデータが確実に一致している保証はない。
【課題を解決するための手段】
【０００６】
本発明は上記課題を解決しようとするもので、常時全量のネガデータを蓄積して全量チェックを可能にするとともに、送信時間を短縮し、さらに提供元と配布先のネガデータの一致性を確保できるようにすることを目的とする。
そのために本発明は、所定数の最新ネガデータからなる差分一括ネガデータを配信するサーバと、前記サーバから差分一括ネガデータを受信し、受信した差分一括ネガデータと、過去に受信した世代の異なる各差分ネガデータとを比較し、各世代の差分ネガデータ毎に変更分ネガデータを生成すると共に、差分一括ネガデータについてチェック値を算出し、変更分ネガデータ、差分一括ネガデータ、チェック値を配信する機能を有するセンタと、前記センタから初期設定時に差分一括ネガデータを受信するとともに、以後、自己の有する差分ネガデータに対応する変更分ネガデータ、前記チェック値を受信し、受信したチェック値と自身で算出したチェック値を比較し、両チェック値が異なる時、センタに対して差分一括ネガデータの配信を要求する端末とを備えたことを特徴とする。
また、本発明は、さらに前記サーバは当日に発生したネガデータを緊急ネガデータとしてセンタに送信し、センタは、受信した緊急ネガデータを蓄積管理し、自己の管理する緊急ネガデータと端末側の緊急ネガデータとを比較し、緊急ネガデータの世代が異なるときは管理する緊急ネガデータを端末へ送信することを特徴とする。
また、本発明は、前記緊急ネガデータの当日より前の緊急ネガデータは変更分ネガデータに組み入れることを特徴とする。
また、本発明は、前記センタは、各端末からのアクセスに基づいてデータを送信することを特徴とする。
【発明の効果】
【０００７】
本発明は、端末側では初期設定時にセンタから差分一括ネガデータを受信し、以後はセンタのもつ差分ネガデータと端末のもつ差分ネガデータとを比較し、変更分のみ配信するようにしたので、端末において全量チェックが可能であるとともに、変更されたデータのみ配信されるため送信時間の短縮を図ることができる。また、センタ側では差分一括ネガデータについてのチェッチ値を算出してこれを端末に対して配信し、端末側では受信したチェック値と自身で算出したチェッチ値とを比較し、両チェック値が異なる時、センタから差分一括ネガデータを配信するようにしたのでセンタと端末のもつネガデータの一致性を常に確保することができる。
また、当日に発生した緊急ネガデータも並行して配信するようにしたので、緊急に発生したネガデータに対しても柔軟に対応することができる。
【発明を実施するための最良の形態】
【０００８】
以下、本発明の実施の形態について説明する。
図１は本実施形態のネガデータ配信システムの概要を説明する図である。
ＩＤ管理サーバ１はネガデータを一括して管理するサーバで、ここで管理されるネガデータは、鉄道用の非接触ＩＣカードについて言えば、駅員が登録するものとＩＤ管理サーバで自動的に作成されるものとがある。ＩＤ管理サーバ１では最新のネガデータが所定数蓄積される毎に最新のデータとしてＩＤ管理駅サーバ２にデータを送信する。
ＩＤ管理駅サーバ２はＩＤ管理サーバ１から受信した最新の所定数のネガデータの中から、さらに絞って最新の所定数の差分ネガデータを情報処理センタ３に送信する。
情報処理センタ３はＩＤ管理駅サーバ２から受信した差分ネガデータと、すでに受信して管理している異なる世代（異なるバージョン）の各差分ネガデータとを比較し、各バージョン毎に変更分ネガデータを算出する。そして、端末４からの業務明細報告等のアクセス時に各端末のもつネガデータのバージョンとセンタの持つネガデータとを比較し、送信する変更分ネガデータを決定して配信する。
【０００９】
図２は差分ネガデータを配信するシステムを説明する概念図である。
上記したようにＩＤ管理サーバ１はネガデータを一括して管理するサーバであり、鉄道用の非接触ＩＣカードの場合、一括ネガデータは、駅員が登録するものとＩＤ管理サーバで自動的に作成されるものとがある。駅員が登録するものは、ユーザが駅係員に紛失を届け出て、駅の端末から登録することでＩＤ管理サーバに情報が送信されてネガデータが登録される。ＩＤ管理サーバで自動的に作成されるものは、ＩＤ管理サーバで取引を集計する際、不正と思われる取引があった場合などに自動的に登録される。例えば、チャージの情報が無いのに残高が増えたカードや、改札の入場記録と出場記録の整合性がないカードなどが対象となる。そして、ＩＤ管理サーバ１は、自己で管理する一括ネガデータの中から、例えば最新ＭＡＸ１５万件のネガデータを定期的にＩＤ管理駅サーバに送信する。
【００１０】
ＩＤ管理駅サーバ２は最新ＭＡＸ１５万件のネガデータを受信すると一括ネガデータとして管理し、例えば、一括ネガデータの中から最新ＭＡＸ６万件を差分ネガデータとして抽出し、情報処理センタ３へ送信する。
【００１１】
情報処理センタ３はＩＤ管理駅サーバ２から最新ＭＡＸ６万件の差分ネガデータを受信すると、過去に受信した複数のバージョンの６万件ネガデータと比較し、各々の６万件ネガデータごとに追加・削除・更新の情報を作成する。これらのネガデータは変更分ネガデータと言う。
【００１２】
例えば、図３（ａ）が最新６万件のネガデータの一部を表し、図３（ｂ）が過去に受信したある６万件のネガデータの一部を表しているものとする。ネガデータＡ、Ｂ、Ｃ…の「２００２０８０１」等の数字は「２００２年８月１日」のようにネガデータが登録（作成）された年月日、ＩＤｉー２はネガデータの識別番号を表している。これらネガデータにはさらにネガとなった条件も含んでいて、バージョンの異なる６万件のネガデータと比較する。この場合、ネガデータＡは、ネガとなった条件が変更になったため更新、ネガデータＤは最新６万件のネガデータに入っていないので削除、ネガデータＦは新たに最新６万件のネガデータに入ったので追加というように変更分ネガデータを作成する（図３（ｃ））。変更分ネガデータは、端末側が持っているデータのバージョンがいろいろなので各バージョンごとに作成する。また、最新の６万件ネガデータを差分一括ネガデータと呼び、これらは新規のネガデータとなる（図３（ｄ））。また、情報処理センタでは、差分一括ネガデータに対して所定の論理演算によるチェック値を算出する。作成された変更分ネガデータ、差分一括ネガデータは端末側のもつネガデータのバージョンに応じて配信され、このときチェック値も配信される。
【００１３】
次に、情報処理センタから端末へのネガデータの配信について図４により説明する。
情報処理センタは初期設定時には、各端末に対して差分一括ネガデータを配信する。変更分ネガデータは、ＩＤ管理駅サーバ２から最新６万件ネガデータを受け取ったタイミングで作成する。図４の例では、情報処理センタが１日１回最新ネガデータを受け取り（Ｎ日）、変更分ネガデータを３世代（Ｎ−１日用、Ｎ−２日用、Ｎ−３日用）作成するものとする。これは、サーバ記憶容量の関係で無制限に変更分ネガデータを作成することはできないので、設定した世代についてのみ作成している。もちろん、記憶容量が許せば４世代以上作成してもよい。
【００１４】
端末側のもつ差分ネガデータのバージョンが以下の場合のネガデータ配信は次の通りである。
・Ｎ日バージョンの場合
情報処理センタのもつ差分一括ネガデータと一致するのでネガデータは送信しない。
・Ｎ−１日バージョンの場合
変更分ネガデータ世代１を送信する。
・Ｎ−２日バージョンの場合
変更分ネガデータ世代２を送信する。
・Ｎ−３日バージョンの場合
変更分ネガデータ世代３を送信する。
・Ｎ−４日バージョンかそれより古い場合
情報センタには該当する差分ネガデータも  変更分ネガデータもないため差分一括ネガ  データを配信する。
【００１５】
こうして端末は変更分ネガデータを受信することにより最新のＮ日バージョンに更新することができる。このように、差分一括ネガデータ、又は変更分ネガデータを受信し、端末内のネガデータを最新の状態にした後に、所定の論理演算によりネガチェック値を計算する。そして、情報処理センタ３から送信されるネガチェック値と端末が計算したネガチェック値を比較し、一致しない場合には全てのネガデータをクリアし、再度差分一括ネガデータを取り込む。情報処理センタ側と端末側で計算したネガチェック値は通常合致する筈だが、通信障害や端末障害などで不正なデータとなった場合に値が変わってしまう。
なお、これらネガデータの配信は、業務明細報告の送信等で端末から情報処理センタへアクセスしたときネガデータのもつバージョンも送信し、このタイミングで行われる。こうして可能な限り、変更分ネガデータの配信のみでデータ送信を済ませるため送信時間の短縮を図ることが可能となる。
【００１６】
なお、上記説明では差分ネガデータの配信について説明したが、本システムは差分ネガデータと並行して緊急ネガデータも配信しており、これについて、図５、図６により説明する。
図５において、ＩＤ管理サーバ１は上記したようにネガデータを一括して管理するサーバであるが、同時に緊急ネガデータも管理している。一括ネガデータは定期的に送信され、緊急ネガデータは当日に発生したネガデータであり、随時送信する。緊急ネガデータを受信したＩＤ管理駅サーバ２は、例えば１時間単位で当日に情報処理センタ３に送信する。図６に示すように、情報処理センタ３では、当日（Ｎ日分）の各時間帯の緊急ネガデータを蓄積して管理し、端末からのアクセスがあったときに、端末側の緊急ネガデータのバージョンと情報処理センタが管理する緊急ネガデータのバージョンを比較し、バージョンが相違（特定の時間帯のデータのみ保有）しているとき、端末へＮ日（１日分）の蓄積緊急ネガデータを送信する。なお、当日より前の緊急ネガデータは変更分ネガデータに組み入れる。また、緊急ネガデータについても情報処理センタ側、端末側でそれぞれチェック値を算出して両者の持つデータの一致性を確保している。
【産業上の利用可能性】
【００１７】
本発明によれば、常時全量のネガデータを蓄積して全量チェックを可能にするとともに、送信時間を短縮し、さらに提供元と配布先のネガデータの一致性を確保できるので産業上の利用価値は大きい。
【図面の簡単な説明】
【００１８】
【図１】本実施形態のネガデータ配信システムの概要を説明する図である。
【図２】差分ネガデータを配信するシステムを説明する概念図である。
【図３】変更分ネガデータ、差分一括ネガデータを説明する図である。
【図４】情報処理センタのネガデータの配信を説明する図である。
【図５】緊急ネガデータの配信を説明する図である。
【図６】緊急ネガデータの配信を説明する図である。
【符号の説明】
【００１９】
１…ＩＤ管理サーバ、２…ＩＤ管理駅サーバ、３…情報処理センタ、４…端末。
【図１】
2005234642.tif 000003
【図２】
2005234642.tif 000004
【図３】
2005234642.tif 000005
【図４】
2005234642.tif 000006
【図５】
2005234642.tif 000007
【図６】
2005234642.tif 000008